【手続補正書】
【提出日】平成26年3月20日(2014.3.20)
【手続補正１】
【補正対象書類名】特許請求の範囲
【補正対象項目名】全文
【補正方法】変更
【補正の内容】
【特許請求の範囲】
【請求項１】
ハウジングの周面に形成された嵌合面で互いに嵌合接続されるケーブルコネクタとレセプタクルコネクタとを有し、嵌合面が側壁面とこれに直角をなし前方に位置する端壁面とを有して形成されており、ケーブルコネクタが後方に位置する端壁面をケーブルの延出側としている電気コネクタ組立体において、
ケーブルコネクタとレセプタクルコネクタの一方が、側壁面から突出するロック部を有し、他方が前後方向で該ロック部に対応する位置で後方へ向く被ロック部を側壁面に有しており、上記ロック部は、二つの面で形成されコネクタ幅方向に延びる角部を該ロック部の前部に有しており、ケーブルコネクタは、上記ロック部よりも前方位置に係止部が設けられ、レセプタクルコネクタは、前後方向で上記係止部と対応する位置に被係止部が設けられており、上記係止部と上記被係止部は、コネクタ嵌合状態にて互いに係止可能となっており、上記ロック部の上記角部が被ロック部よりも嵌合方向先方に位置しケーブルコネクタが嵌合終了の姿勢となったコネクタ嵌合状態では、該ケーブルコネクタが後端側を持ち上げられて抜出方向に移動されようとしたとき、上記ロック部の上記二つの面のうち一方の面が上記抜出方向で上記被ロック部と当接して該ケーブルコネクタの抜出を阻止するようになっており、該ケーブルコネクタの前端部には前方へ突出する持上げ部が設けられていて、上記コネクタ嵌合状態で該持上げ部を上記抜出方向に持ち上げることにより、上記係止部と上記被係止部との係止可能な状態が解除されるとともに、上記ロック部の上記一方の面と上記被ロック部との当接可能な状態が解除されて、上記ケーブルコネクタの抜出が可能となることを特徴とする電気コネクタ組立体。
【請求項２】
ハウジングの周面に形成された嵌合面で互いに嵌合接続されるケーブルコネクタとレセプタクルコネクタとを有し、嵌合面が側壁面とこれに直角をなし前方に位置する端壁面とを有して形成されており、ケーブルコネクタが後方に位置する端壁面をケーブルの延出側としている電気コネクタ組立体において、
ケーブルコネクタとレセプタクルコネクタの一方が、側壁面から突出するロック部を有し、他方が前後方向で該ロック部に対応する位置で前方へ向く被ロック部を側壁面に有しており、上記ロック部は、二つの面で形成されコネクタ幅方向に延びる角部を該ロック部の後部に有しており、ケーブルコネクタは、上記ロック部よりも前方位置に係止部が設けられ、レセプタクルコネクタは、前後方向で上記係止部と対応する位置に被係止部が設けられており、上記係止部と上記被係止部は、コネクタ嵌合状態にて互いに係止可能となっており、上記ロック部の上記角部が被ロック部よりも嵌合方向先方に位置しケーブルコネクタが嵌合終了の姿勢となったコネクタ嵌合状態では、該ケーブルコネクタが後端側を持ち上げられて抜出方向に移動されようとしたとき、上記ロック部の上記二つの面のうち一方の面が上記抜出方向で上記被ロック部と当接して該ケーブルコネクタの抜出を阻止するようになっており、該ケーブルコネクタの前端部には前方へ突出する持上げ部が設けられていて、上記コネクタ嵌合状態で該持上げ部を上記抜出方向に持ち上げることにより、上記係止部と上記被係止部との係止可能な状態が解除されるとともに、上記ロック部の上記一方の面と上記被ロック部との当接可能な状態が解除されて、上記ケーブルコネクタの抜出が可能となることを特徴とする電気コネクタ組立体。
【手続補正２】
【補正対象書類名】明細書
【補正対象項目名】０００８
【補正方法】変更
【補正の内容】
【０００８】
本発明に係る電気コネクタ組立体は、ハウジングの周面に形成された嵌合面で互いに嵌合接続されるケーブルコネクタとレセプタクルコネクタとを有し、嵌合面が側壁面とこれに直角をなし前方に位置する端壁面とを有して形成されており、ケーブルコネクタが後方に位置する端壁面をケーブルの延出側としている。
【手続補正３】
【補正対象書類名】明細書
【補正対象項目名】０００９
【補正方法】変更
【補正の内容】
【０００９】
＜第一発明＞
かかる電気コネクタ組立体において、本発明では、ケーブルコネクタとレセプタクルコネクタの一方が、側壁面から突出するロック部を有し、他方が前後方向で該ロック部に対応する位置で後方へ向く被ロック部を側壁面に有しており、上記ロック部は、二つの面で形成されコネクタ幅方向に延びる角部を該ロック部の前部に有しており、ケーブルコネクタは、上記ロック部よりも前方位置に係止部が設けられ、レセプタクルコネクタは、前後方向で上記係止部と対応する位置に被係止部が設けられており、上記係止部と上記被係止部は、コネクタ嵌合状態にて互いに係止可能となっており、上記ロック部の上記角部が被ロック部よりも嵌合方向先方に位置しケーブルコネクタが嵌合終了の姿勢となったコネクタ嵌合状態では、該ケーブルコネクタが後端側を持ち上げられて抜出方向に移動されようとしたとき、上記ロック部の上記二つの面のうち一方の面が上記抜出方向で上記被ロック部と当接して該ケーブルコネクタの抜出を阻止するようになっており、該ケーブルコネクタの前端部には前方へ突出する持上げ部が設けられていて、上記コネクタ嵌合状態で該持上げ部を上記抜出方向に持ち上げることにより、上記係止部と上記被係止部との係止可能な状態が解除されるとともに、上記ロック部の上記一方の面と上記被ロック部との当接可能な状態が解除されて、上記ケーブルコネクタの抜出が可能となることを特徴としている。
＜第二発明＞
かかる電気コネクタ組立体において、本発明では、ケーブルコネクタとレセプタクルコネクタの一方が、側壁面から突出するロック部を有し、他方が前後方向で該ロック部に対応する位置で前方へ向く被ロック部を側壁面に有しており、上記ロック部は、二つの面で形成されコネクタ幅方向に延びる角部を該ロック部の後部に有しており、ケーブルコネクタは、上記ロック部よりも前方位置に係止部が設けられ、レセプタクルコネクタは、前後方向で上記係止部と対応する位置に被係止部が設けられており、上記係止部と上記被係止部は、コネクタ嵌合状態にて互いに係止可能となっており、上記ロック部の上記角部が被ロック部よりも嵌合方向先方に位置しケーブルコネクタが嵌合終了の姿勢となったコネクタ嵌合状態では、該ケーブルコネクタが後端側を持ち上げられて抜出方向に移動されようとしたとき、上記ロック部の上記二つの面のうち一方の面が上記抜出方向で上記被ロック部と当接して該ケーブルコネクタの抜出を阻止するようになっており、該ケーブルコネクタの前端部には前方へ突出する持上げ部が設けられていて、上記コネクタ嵌合状態で該持上げ部を上記抜出方向に持ち上げることにより、上記係止部と上記被係止部との係止可能な状態が解除されるとともに、上記ロック部の上記一方の面と上記被ロック部との当接可能な状態が解除されて、上記ケーブルコネクタの抜出が可能となることを特徴としている。
【手続補正４】
【補正対象書類名】明細書
【補正対象項目名】００１０
【補正方法】変更
【補正の内容】
【００１０】
本発明は、以上のように、ケーブルコネクタとレセプタクルコネクタの一方がその側壁面にロック部、そして他方がその側壁面の対応位置に被ロック部を有し、上記ロック部がケーブルコネクタが嵌合終了の姿勢となったコネクタ嵌合状態では、該ケーブルコネクタが後端側を持ち上げられて抜出方向に移動されようとしたとき、上記ロック部が上記被ロック部に当接して該ケーブルコネクタの抜出を阻止するようにしたので、ケーブルコネクタの後端から延出しているケーブルを不用意に引いても、そしてその引く力がたとえ上向き成分を伴っていても、ロック部が被ロック部に当接して、ケーブルコネクタはレセプタクルコネクタから外れることはない。ケーブルを引く不用意な力は、多くの場合、上記の上向き成分を伴っており、このような力に対して、本発明は確実に対処可能となる。